(57)【要約】      （修正有）【課題】小型な測色機を備えた記録装置を提供する。【解決手段】被記録媒体Ｐを搬送しつつ記録する記録装置に、記録された前記被記録媒体を測色する測色手段２１１と、測色時に使用する裏当て部材の色を切替える裏当て切替手段２１２とを備える。これにより、測色手段を小型にしても裏当て切替手段により異なる色の裏当て部材にて測色を行うことができる。つまり、前記裏当て切替手段は、多角柱面の各面もしくは平面の表裏面に配色された裏当て部材を回転させて切替える。【選択図】図５
2007237663.tif 000002
【特許請求の範囲】
【請求項１】
被記録媒体を搬送しつつ記録する記録装置において、
前記被記録媒体に記録された記録データを測色する測色手段と、
前記測色手段に対向する位置で前記被記録媒体の裏に配置される裏当て部材と、
測色時に前記被記録媒体に記録された記録データに応じて前記裏当て部材の使用する色を切替える裏当て切替手段とを備えたことを特徴とする記録装置。
【請求項２】
前記裏当て切替手段は、多角柱面の各面もしくは平面の表裏面に配色された裏当て部材を回転させて切替えることを特徴とする請求項１に記載の記録装置。
【請求項３】
前記裏当て切替手段は、平面に帯状に配色された裏当て部材をスライドさせて切替えることを特徴とする請求項１に記載の記録装置。
【請求項４】
前記裏当て切替手段は、測色手段をスライドさせて平面に帯状に配色された裏当て部材を切替えることを特徴とする請求項１に記載の記録装置。
【発明の詳細な説明】
【技術分野】
【０００１】
本発明は、被記録媒体を搬送しつつ記録する記録装置に関し、特に記録された被記録媒体を測色する測色手段を備えた記録装置に関する。
【背景技術】
【０００２】
記録装置の１つであるインクジェット式プリンタには測色機能を備えたものがある。このようなインクジェット式プリンタによれば、記録したカラー画像からＣＩＥＸＹＺやＣＩＥＬＡＢ等の色データを測色し、この測色データをＣＭＹＫ表色系等の色データに変換して所望の色再現を得ることができる。ここで、測色する際にカラー画像が記録された用紙の裏に配置する裏当て部材の色が測色データに大きな影響を与える。一般に裏当て部材の色は、裏面にも記録してある用紙の場合は裏写りによる影響を防ぐために黒色の裏当て部材が使用され、透明な用紙の場合は裏当て部材の色による影響を防ぐために白色の裏当て部材が使用される。上記インクジェット式プリンタでは、用紙搬送面に黒色の裏当て部材と白色の裏当て部材が予め配置されており、カラー画像が記録された用紙に該当する裏当て部材の位置に用紙が搬送位置決めされて測色されるようになっている（特許文献１参照）。
【０００３】
【特許文献１】特開２００５−２４９５６３号公報
【発明の開示】
【発明が解決しようとする課題】
【０００４】
上述したインクジェット式プリンタでは、用紙搬送面に配置されている黒色の裏当て部材と白色の裏当て部材の両者に亘って測色することが可能な測色機を備えておく必要があるため、測色機が大型化する問題がある。
【０００５】
本発明は、上記のような種々の課題に鑑みなされたものであり、その目的は、小型な測色機を備えた記録装置を提供することにある。
【課題を解決するための手段】
【０００６】
上記目的達成のため、本発明の記録装置では、被記録媒体を搬送しつつ記録する記録装置において、前記被記録媒体に記録された記録データを測色する測色手段と、前記測色手段に対向する位置で前記被記録媒体の裏に配置される裏当て部材と、測色時に前記被記録媒体に記録された記録データに応じて前記裏当て部材の使用する色を切替える裏当て切替手段とを備えたことを特徴としている。これにより、測色手段を小型にしても裏当て切替手段により異なる色の裏当て部材にて測色を行うことができる。つまり、前記裏当て切替手段は、多角柱面の各面もしくは平面の表裏面に配色された裏当て部材を回転させて切替えることを特徴としている。また、前記裏当て切替手段は、平面に帯状に配色された裏当て部材をスライドさせて切替えることを特徴としている。また、前記裏当て切替手段は、測色手段をスライドさせて平面に帯状に配色された裏当て部材を切替えることを特徴としている。
【発明を実施するための最良の形態】
【０００７】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【０００８】
図１は、本発明の実施の形態に係る記録装置の１つであるインクジェット式プリンタの外観構成例を正面側から見た斜視図、図２は、それを背面側から見た斜視図、図３及び図４は、それの内部構造を示す斜視図である。このインクジェット式プリンタ１００は、例えばＪＩＳ規格のＡ０判やＪＩＳ規格のＢ０判といった比較的大型サイズのカット紙（被記録媒体）やそれらの幅を有するロール紙（被記録媒体）Ｒにまで記録できる大型のプリンタである。このインクジェット式プリンタ１００は、図１及び図２に示すように、直方体状のプリンタ本体部１１０と、このプリンタ本体部１１０を支えるプリンタ脚部１２０を備えている。
【０００９】
プリンタ本体部１１０は、図１及び図２に示すように、上下２層に分かれており、背面側の上下層の境界部分には図２に示すロール紙収納部１３０が配設されている。そして、上層には図３及び図４に示す給排紙部１４０と記録部１５０と図３に示す本発明の特徴的な部分である測色部２１０が配設されている。また、図１〜図４に示すように、下層には用紙吸引部１６０が配設され、前面側から見て下層の左側にはインク供給部１７０が配設され、前面側から見て下層の右側にはヘッド特性回復部１８０と駆動制御部１９０が上下に配設されている。そして、駆動制御部１９０の下方であってプリンタ脚部１２０の脇には、廃インク回収部２００が配設されている。
【００１０】
プリンタ本体部１１０は、図１及び図２に示すように、給排送部１４０、記録部１５０及び測色部２１０を覆うプラスチックあるいは板金でなる上部ハウジング１１１と、用紙吸引部１６０、インク供給部１７０、ヘッド特性回復部１８０及び駆動制御部１９０を覆うプラスチックあるいは板金でなる下部ハウジング１１２を備えている。そして、上部ハウジング１１１は、中央前面から中央上面にかけて開放可能なようにプラスチックあるいは板金でなる本体カバー１１３が配設されている。また、下部ハウジング１１２は、インク供給部１７０の前面が開放可能なようにプラスチックあるいは板金でなるインクカバー１１４が配設されている。
【００１１】
本体カバー１１３は、図１及び図２に示すように、後部が上部ハウジング１１１に対して回動可能に支持されており、ユーザが前面に形成されている窪んだ指掛け部１１３ａに指を入れて押し上げ、あるいは押し下げることにより開閉するようになっている。ユーザは、本体カバー１１３を開けることにより給排送部１４０、記録部１５０及び測色部２１０の上方を大きく開放することができるので、紙送りローラ１４１、記録ヘッド１５２、測色機２１３等のメンテナンス作業及び紙ジャム等の用紙搬送エラーの解除作業等を容易に行うことができる。更に、本体カバー１１３は、上面の一部に透明もしくは半透明のプラスチックでなる窓１１３ｂが設けられている。ユーザは、本体カバー１１３を開けなくても窓１１３ｂから内部を覗くことにより、搬送状態、記録状態、測色状態等を視認することができる。
【００１２】
インクカバー１１４は、図１に示すように、両側部が下部ハウジング１１２に対してスライド可能に支持されており、ユーザが前面に形成されている窪んだ指掛け部１１４ａに指を入れて押し上げ、あるいは押し下げることにより開閉するようになっている。ユーザは、インクカバー１１４を開けることによりインク供給部１７０の前面を大きく開放することができるので、インクカートリッジ１０の交換作業等を容易に行うことができる。更に、インクカバー１１４は、前面の一部に透明もしくは半透明のプラスチックでなる窓１１４ｂが設けられている。ユーザは、インクカバー１１４を開けなくても窓１１４ｂから内部を覗くことにより、インクカートリッジ１０の状態を視認することができる。
【００１３】
更に、プリンタ本体部１１０は、図１及び図２に示すように、前面側から見て右側の上層の上面には、ユーザが記録制御等を操作するための操作パネル１１５が配設されている。この操作パネル１１５は、液晶画面と各種ボタンが配設されており、ユーザが液晶画面を見て確認しながらボタン操作できるようになっている。ユーザは、視認による確実な操作を行うことができるので、動作エラーや動作ミス等を無くすことができる。
【００１４】
プリンタ脚部１２０は、図１〜図４に示すように、逆Ｔ字形の２本の支持柱１２１と、これらの支持柱１２１間に架け渡された補強柱１２２を備えている。そして、支持柱１２１の上部にプリンタ本体部１１０が載置されネジ止め固定されるようになっている。プリンタ脚部１２０によりプリンタ本体部１１０が持ち上げられた状態におかれるため、ユーザは給排送処理や各種メンテナンス処理等を楽に行うことが可能になる。更に、プリンタ脚部１２０の空間に排紙受け部を設置することが可能となり、記録済みの用紙を効率良く回収することができるとともに、記録済みの用紙の汚染等を防止することができる。
【００１５】
ロール紙収納部１３０は、図２に示すように、ロール紙Ｒの内周部に貫装されてロール紙Ｒを支持するスピンドル１３１と、このスピンドル１３１の両端を回動自在に軸支持する図示しない軸受を備えている。用紙吸引部１６０の背面は、その両側のインク供給部１７０の背面とヘッド特性回復部１８０及び駆動制御部１９０の背面よりも窪んで形成されており、この窪み部を利用してロール紙収納部１３０が配設されている。即ち、インク供給部１７０とヘッド特性回復部１８０及び駆動制御部１９０の対向側面には、スピンドル１３１を主走査方向に向けてその両端を回動自在に軸支持する図示しない軸受が内蔵されている。そして、これらの軸受間にロール紙Ｒの内周部を貫装しているスピンドル１３１を架け渡すことにより、ロール紙Ｒをプリンタ本体部１１０の背面側から突出させずにセッティングすることができる。
【００１６】
給排送部１４０は、図４に示すように、紙送りローラ１４１とその紙送り従動ローラ１４２を備えている。紙送りローラ１４１とその紙送り従動ローラ１４２は、ロール紙収納部１３０から直の給送下流側、即ちプリンタ本体部１１０内の後部側において、軸が主走査方向を向いて周面が上下に対向するように配置されている。紙送りローラ１４１は、１本の長尺のローラとして形成されており、記録可能な最大用紙幅より若干大きい周面部分にはセラミック粉等がコーティングされている。これにより、紙送りの際の滑りを防止することができるので、用紙を高精度に送り出すことができる。この紙送りローラ１４１は、両端がサイドフレーム１１６に図示しない軸受を介して軸支持されており、紙送りモータ１４３からプーリ１４４及びベルト１４５を介して伝達される駆動力により正逆回転駆動するようになっている。
【００１７】
紙送り従動ローラ１４２は、複数個の短尺のローラとして形成されており、紙送りローラ１４１の上方で軸方向に複数並設された従動ローラ支持部材１４６に回動自在に軸支持されている。この紙送り従動ローラ１４２は、従動ローラ支持部材１４６に取り付けられている図示しないバネ等の付勢部材により紙送りローラ１４１に押圧されており、紙送りローラ１４１の正逆回転駆動に追従して正逆回転するようになっている。これにより、用紙を両面からしっかりと押さえ込んで送り出すことができるので、高精度な記録を行うことができる。そして、紙送りローラ１４１とその紙送り従動ローラ１４２は、図２に示すプリンタ本体部１１０の上下層間に形成されている給紙口１４７から給紙されるロール紙Ｒやカット紙を挟持して、図４に示す記録部１５０のプラテン１５１上に向けて送り出し、図１に示すプリンタ本体部１１０の上下層間に形成されている排紙口１４８から排紙するようになっている。
【００１８】
記録部１５０は、図４に示すように、紙送りローラ１４１から直の用紙搬送方向下流側に配設されたプラテン１５１と、記録ヘッド１５２を搭載したキャリッジ１５３と、キャリッジ１５３に装着されたカッタ１５４を備えている。更に、記録部１５０は、記録ヘッド１５２と記録を実行するための駆動制御部１９０とを電気的に接続するフレキシブルフラットケーブル（以下、ＦＦＣという）１５８、記録ヘッド１５１とインクが入ったインクカートリッジ１０とを繋ぐインクチューブ１５９等を備えている。
【００１９】
プラテン１５１は、記録可能な最大用紙幅より若干大きい長さの矩形平板状に形成されて紙送りローラ１４１に沿って配設されている。このプラテン１５１は、表面から裏面にかけては用紙吸引部１６０に繋がる図示しない複数の孔が穿設され、表面には吸湿によって生じる用紙のコックリング等を吸収する図示しない複数の凹凸部が形成されている。これにより、記録中の用紙を略平面状に保持し、且つ記録ヘッド１５２と用紙との距離を一定に保つことができるので、高精度な記録を行うことができる。
【００２０】
更に、プラテン１５１の表面には、主走査方向に延びるカッタ溝１５１ａが形成されている。このカッタ溝１５１ａは、カッタ１５４がロール紙Ｒを幅方向にカッティングする際にプラテン１５１の表面を傷付けないように、ロール紙Ｒの下面から突出したカッタ１５４の刃先が入り込むことができる大きさに形成されている。これにより、ロール紙Ｒの記録部分と未記録部分とを確実に切り離すことができる。
【００２１】
記録ヘッド１５２は、キャリッジ１５３の下部においてプラテン１５１の上面に供給されるカット紙やロール紙Ｒと所定間隔を空けて対向するように配設されており、ブラック、シアン、マゼンタ、イエロー、レッド、ライトブラック、ライトマゼンタ、ライトシアン、ブルー等の８色のインクをそれぞれ吐出する８列のノズル列、又はブラック、シアン、マゼンタ、イエローの４色を各２列で吐出する８列のノズル列が形成されている。そして、記録ヘッド１５２は、圧力発生室とそれに繋がるノズル開口が設けられており、圧力発生室内にインクを貯留して所定圧で加圧することにより、各ノズル列のノズル開口からプラテン１５１の上面に供給されるカット紙やロール紙Ｒに向けてコントロールされた大きさのインク滴を吐出するようになっている。
【００２２】
キャリッジ１５３は、主走査方向に設けられているキャリッジガイド軸１５５に図示しないベアリングを介して載置され、ベルト１５６に結合されている。そして、キャリッジ１５３は、図示しないキャリッジモータによってプーリ１５７が回転してベルト１５６が回動すると、ベルト１５６の動きに連行され、キャリッジガイド軸１５５に案内されて主走査方向に往復移動するようになっている。これにより、キャリッジ１５３を高精度に移動させることができるので、高精度な記録を行うことができる。
【００２３】
カッタ１５４は、刃先が下方を向くようにして、上下方向に昇降可能であって主走査方向に移動可能に配設されている。このカッタ１５４は、例えばソレノイド等により上下方向に昇降され、キャリッジ１５３とともに主走査方向に移動されるようになっている。従って、カッタ１５４を移動させるための手段を別途設ける必要は無いので、省スペースを図ることができるとともに、コストを抑えることができる。尚、カッタ１５４をキャリッジ１５３から分離して独自のベルト機構やモータ等により主走査方向に移動するように構成しても良い。
【００２４】
ＦＦＣ１５８は、一端が駆動制御部１９０のコネクタに接続され、他端が記録ヘッド１５２のコネクタに接続されており、記録信号を駆動制御部１９０から記録ヘッド１５２に送るようになっている。インクチューブ１５９は、上記各色のインク用が配設されており、図示しないインク加圧供給手段を介して各一端が対応する各色のインクカートリッジ１０に繋がれ、各他端が対応する各色の記録ヘッド１５２に繋がれている。そして、インクチューブ１５９は、インク加圧供給手段によって加圧された各色のインクをインクカートリッジ１０から記録ヘッド１５２に送るようになっている。ＦＦＣ１５８とインクチューブ１５９は、キャリッジ１５３の走査に干渉せずに追従するように、重ね合わされて主走査方向に延びるように配設されている。
【００２５】
用紙吸引部１６０は、図４に示すように、プラテン１５１の下部に配設された圧力室１６１と、圧力室１６１の下部に配設された図示しないファンを備えている。圧力室１６１は、上面と底面の一部が開放された箱状に形成されており、上面の開放部にプラテン１５１が取り付けられ、底面の開放部にファンが取り付けられている。ファンを回転させることにより、プラテン１５１に穿設されている孔から圧力室１６１内に吸気され、ファンを通って外部に排気される。従って、プラテン１５１の上面にカット紙やロール紙Ｒが供給されると、カット紙やロール紙Ｒの下面側に負圧が発生するので、カット紙やロール紙Ｒをプラテン１５１の上面に吸着させてカット紙やロール紙Ｒの浮き上がりを防止することができ、記録精度を高精度に維持することができる。
【００２６】
インク供給部１７０は、図４に示すように、箱状のカートリッジ収納部１７１と、カートリッジ収納部１７１の前面側に取り付けられたカートリッジ押さえ部１７２を備えている。カートリッジ収納部１７１は、図示左側から順にブラック、シアン、マゼンタ、イエロー、レッド、ライトブラック、ライトマゼンタ、ライトシアン、ブルー等の計８つのインクカートリッジ１０、又はブラック、シアン、マゼンタ、イエローの計４つのインクカートリッジ１０が２組の計８つのインクカートリッジ１０が前面側から個々に引き出し、押し入れ可能なように仕切られている。カートリッジ押さえ部１７２は、カートリッジ収納部１７１の各仕切り部に開閉自在に取り付けられており、閉動作に連動して仕切り部内のインクカートリッジ１０を押さえ込み、開動作に連動して仕切り部内のインクカートリッジ１０を飛び出させるようになっている。
【００２７】
ヘッド特性回復部１８０は、図４に示すホームポジションに位置したキャリッジ１５３の下方に配設されており、ワイピング手段とキャッピング手段及び吸引手段とこれらの駆動手段を備えている。ワイピング手段は、ゴム、フェルトあるいはプラスチック等により略矩形平板状に形成されたワイパーを備えており、記録ヘッド１５２のノズル形成面に対して擦れてノズル形成面に付着しているインクを払拭するようになっている。キャッピング手段は、ゴムにより略直方体状に形成されたキャップを備えており、上部に設けられている窪みが記録ヘッド１５２のノズル形成面に押し付けられてノズル開口を封止するようになっている。吸引手段は、ノズル開口の目詰まりや混入した気泡を除去するためにインクを強制的に吸引排出するようになっている。従って、キャリッジ１５３がホームポジションに位置している状態のときに記録ヘッド１５２のインク吐出特性を一定な状態に維持する処理を行うことができる。
【００２８】
廃インク回収部２００は、着脱自在な廃液カートリッジ２０１を備えている。廃液カートリッジ２０１は、記録ヘッド１５２に至るインク供給系に初期充填する際に使用されるインク、あるいは記録ヘッド１５２に至るインク供給系を洗浄する際に使用される洗浄液等の廃液を貯留するようになっている。これにより、廃液カートリッジ２０１を交換するのみで廃液の処理を完了することができるので、作業工数を低減させることができるとともに、プリンタ周辺部の汚染を防止することができる。次に、本発明の特徴的な部分である測色部２１０について図を参照して説明する。
【００２９】
図５は、上記測色部２１０の一実施形態を示す斜視図である。この測色部２１０は、測色装置（測色手段）２１１と裏当て切替装置（裏当て切替手段）２１２を備えている。測色装置２１１は、用紙Ｐに記録された測色パターンＤＰを測色する測色機２１３と、この測色機２１３の測色時の移動を案内する測色機案内板２１４を備えている。裏当て切替装置２１２は、黒色の裏当て２１５ａと白色の裏当て２１５ｂが表裏面にそれぞれ貼着された裏当て板２１５と、この裏当て板２１５を回転させて裏当て２１５ａ、２１５ｂを切替える裏当て切替機２１６を備えている。
【００３０】
測色機２１３は、下部に図示しない車輪が配設されており、この測色機２１３に内蔵されて上記車輪に連結された例えばギア機構やモータ等により、もしくはこの測色機２１３の近傍に主走査方向に配設されて測色機２１３に連結された例えばベルト・プーリ機構やモータ等により、測色機案内板２１４上を主走査方向に移動しながら測色するようになっている。この測色機２１３は、図示しないＦＦＣにより駆動制御部１９０と接続されて測色信号等が送受信されるようになっている。測色機案内板２１４は、主走査方向に延びる矩形平板状に形成されており、中央には測色のための主走査方向に延びる窓２１４ａが形成されている。
【００３１】
裏当て板２１５は、主走査方向に延びる矩形平板状に形成されており、表裏面には黒色の裏当て２１５ａと白色の裏当て２１５ｂがそれぞれ貼着され、主走査方向の両側部には回転軸２１５ｃが設けられている。裏当て切替機２１６は、裏当て板２１５の一方の回転軸２１５ｃに連結された例えばギア機構やモータ等を備えている。この裏当て切替機２１６は、図示しないＦＦＣにより駆動制御部１９０と接続されて駆動信号が送信されるようになっている。尚、裏当て板２１５の他方の回転軸２１５ｃは、フレーム等に回転自在に軸支持されている。
【００３２】
このような構成の測色部２１０における測色動作を説明する。先ず、黒色の裏当て２１５ａと白色の裏当て２１５ｂのどちらの色を使用するかを決定し、裏当て板２１５を回転させて決定した色に切替える。この色の決定及び切替は、用紙の情報や記録のデューティ比等に基づいて、ユーザが目視判断して駆動制御部１９０により裏当て切替機２１６を駆動させるか、ユーザが操作パネル１１５からデータ入力して駆動制御部１９０により裏当て切替機２１６を駆動させることにより行う。例えば裏面にも記録してある用紙の場合は裏写りによる影響を防ぐために黒色の裏当て２１５ａを使用することを決定し、透明な用紙の場合は裏当て部材の色による影響を防ぐために白色の裏当て２１５ｂを使用することを決定する。
【００３３】
次に、用紙Ｐに測色パターンＤＰを記録したら当該用紙Ｐをそのまま搬送し続け、測色パターンＤＰが測色機案内板２１４の窓２１４ａの下方に位置決めされたら当該用紙Ｐの搬送を停止する。そして、測色機２１３を移動させて測色パターンＤＰからＣＩＥＸＹＺやＣＩＥＬＡＢ等の色データを測色する。このような構成によれば、裏当て板２１５を１つの色分の大きさにすることができるので、測色装置２１１自体を小型にすることができる。尚、平面の裏当て板２１５の表裏面を回転させて切替えるように構成したが、多角柱面の裏当ての各面を回転させて切替えるように構成しても良く、この場合は白色、黒色のみならず他の色も裏当てとして使用することができる。
【００３４】
図６は、上記測色部２１０の別の実施形態を図５に対応させて示す斜視図であり、図５と同一構成箇所は同一番号を付して当該箇所の説明を省略する。この測色部２１０は、測色装置２１１は図５と同一の構成であるが、裏当て切替装置（裏当て切替手段）２２１が異なる構成となっている。この裏当て切替装置２２１は、帯状の黒色の裏当て２２２ａと帯状の白色の裏当て２２２ｂが表面にそれぞれ並べて貼着された裏当て板２２２と、この裏当て板２２２を用紙Ｐに対し平行移動させて裏当て２２２ａ、２２２ｂを切替える裏当て切替機２２３を備えている。
【００３５】
裏当て板２２２は、主走査方向に延びる矩形平板状に形成されており、表面には帯状の黒色の裏当て２２２ａと帯状の白色の裏当て２２２ｂが副走査方向にそれぞれ並べて貼着され、主走査方向の一側部にはラックギア２２２ｃが副走査方向に延びるように設けられている。裏当て切替機２２３は、裏当て板２２２のラックギア２２２ｃに連結されたピニオンギア２２３ａとモータ２２３ｂを備えている。尚、ピニオンギア２２３ａとモータ２２３ｂの間にギア機構を別途設けても良い。
【００３６】
このような構成の測色部２１０における測色動作を説明する。先ず、黒色の裏当て２２２ａと白色の裏当て２２２ｂのどちらの色を使用するかを決定し、裏当て板２２２を副走査方向に用紙Ｐに対し平行移動させて決定した色に切替える。この色の決定及び切替は、用紙の情報や記録のデューティ比等に基づいて、ユーザが目視判断して駆動制御部１９０により裏当て切替機２２３を駆動させるか、ユーザが操作パネル１１５からデータ入力して駆動制御部１９０により裏当て切替機２２３を駆動させることにより行う。
【００３７】
次に、用紙Ｐに測色パターンＤＰを記録したら当該用紙Ｐをそのまま搬送し続け、測色パターンＤＰが測色機案内板２１４の窓２１４ａの下方に位置決めされたら当該用紙Ｐの搬送を停止する。そして、測色機２１３を移動させて測色パターンＤＰからＣＩＥＸＹＺやＣＩＥＬＡＢ等の色データを測色する。このような構成によれば、裏当て板２２２は２つの色分の大きさになるが用紙Ｐに対し平行移動するので、測色装置２１１自体は小型のままで使用することができる。尚、白色、黒色のみならず他の色も副走査方向に並べて貼着した裏当て板２２２としても良い。また、平面の裏当て板２１５を用紙Ｐに対し平行移動させて切替えるように構成したが、ベルトコンベア式の裏当てを回転させて切替えるように構成しても良い。
【００３８】
図７は、上記測色部２１０の更に別の実施形態を図６に対応させて示す斜視図であり、図６と同一構成箇所は同一番号を付して当該箇所の説明を省略する。この測色部２１０は、図６に示す裏当て切替装置２２１が測色装置２１１に付け替えられて測色・裏当て切替装置（測色手段、裏当て切替手段）２３１とされている点で異なる構成となっている。即ち、この測色・裏当て切替装置２３１は、測色機２１３と測色機案内板２３２と裏当て切替機２３３を備えている。測色機案内板２３２は、主走査方向に延びる矩形平板状に形成されており、中央には測色のための主走査方向に延びる窓２３２ａが形成され、主走査方向の一側部にはラックギア２３２ｂが副走査方向に延びるように設けられている。裏当て切替機２３３は、測色機案内板２３２のラックギア２３２ｂに連結されたピニオンギア２３３ａとモータ２３３ｂを備えている。尚、ピニオンギア２３３ａとモータ２３３ｂの間にギア機構を別途設けても良い。
【００３９】
このような構成の測色部２１０における測色動作を説明する。先ず、黒色の裏当て２２２ａと白色の裏当て２２２ｂのどちらの色を使用するかを決定し、測色機２１３と測色機案内板２３２を副走査方向に用紙Ｐに対し平行移動させて決定した色に切替える。この色の決定及び切替は、用紙の情報や記録のデューティ比等に基づいて、ユーザが目視判断して駆動制御部１９０により裏当て切替機２３３を駆動させるか、ユーザが操作パネル１１５からデータ入力して駆動制御部１９０により裏当て切替機２３３を駆動させることにより行う。
【００４０】
次に、用紙Ｐに測色パターンＤＰを記録したら当該用紙Ｐをそのまま搬送し続け、測色パターンＤＰが測色機案内板２３２の窓２３２ａの下方に位置決めされたら当該用紙Ｐの搬送を停止する。そして、測色機２１３を移動させて測色パターンＤＰからＣＩＥＸＹＺやＣＩＥＬＡＢ等の色データを測色する。このような構成によれば、裏当て板２２２は２つの色分の大きさになるが、測色機２１３と測色機案内板２３２が用紙Ｐに対し平行移動するので、測色装置２１１自体は小型のままで使用することができる。尚、白色、黒色のみならず他の色も副走査方向に並べて貼着した裏当て板２２２としても良い。
【００４１】
上述した実施形態では、裏当て切替装置２１２、２２１及び測色・裏当て切替装置２３１は独自の駆動源である裏当て切替機２１６、２２３、２３３を備えているが、既存の駆動源である紙送りモータ１４３等を利用するようにしても良い。その場合の駆動力の伝達は、ギア機構やベルト・プーリ機構等が用いられる。また、測色装置２１１及び測色・裏当て切替装置２３１は、用紙Ｐから離間した位置に配設されているが、昇降装置を別途設けて用紙Ｐに対し接触・離間させるように構成しても良い。
【産業上の利用可能性】
【００４２】
測色機能を備えた記録装置であれば、例えばファクシミリ装置、コピー装置等であっても適用可能である。
【図面の簡単な説明】
【００４３】
【図１】本発明の実施の形態に係る記録装置の１つであるインクジェット式プリンタの外観構成例を正面側から見た斜視図である。
【図２】図１のプリンタを背面側から見た斜視図である。
【図３】図１のプリンタの内部構造を示す第１の斜視図である。
【図４】図１のプリンタの内部構造を示す第２の斜視図である。
【図５】図１のプリンタの測色部の一実施形態を示す斜視図である。
【図６】図１のプリンタの測色部の別の実施形態を示す斜視図である。
【図７】図１のプリンタの測色部の更に別の実施形態を示す斜視図である。
【符号の説明】
【００４４】
１００  インクジェット式プリンタ、１１０  プリンタ本体部、１２０  プリンタ脚部、１３０  ロール紙収納部、１４０  給排紙部、１５０  記録部、１６０  用紙吸引部、１７０  インク供給部、１８０  ヘッド特性回復部、１９０  駆動制御部、２００  廃インク回収部、２１０  測色部、２１１  測色装置、２１２、２２１  裏当て切替装置、２３１  測色・裏当て切替装置、２１３  測色機、２１４、２３２  測色機案内板、２１５、２２２  裏当て板、２１５ａ、２１５ｂ、２２２ａ、２２２ｂ  裏当て、２１５ｃ  回転軸、２１６、２２３、２３３  裏当て切替機、２２２ｃ、２３２ｂ  ラックギア、２２３ａ、２３３ａ  ピニオンギア、２２３ｂ、２３３ｂ  モータ
【図１】
2007237663.tif 000003
【図２】
2007237663.tif 000004
【図３】
2007237663.tif 000005
【図４】
2007237663.tif 000006
【図５】
2007237663.tif 000007
【図６】
2007237663.tif 000008
【図７】
2007237663.tif 000009